(57)【特許請求の範囲】
【請求項１】
一連の原稿が複数の束に分けられている束単位に原稿トレイにセットされ、この原稿トレイにセットされる束単位の原稿を順次１枚ずつ原稿載置台上に搬送する自動原稿搬送手段と、
上記原稿トレイにセットされた束ごとの原稿に対する読取り機能を選択する第１の選択手段と、
この第１の選択手段により選択されている読取り機能に基づいて、上記原稿載置台上に載置されている束ごとの原稿の画像を読取る読取手段と、
この読取手段により読取った画像を記録する記録手段と、
を有する画像読取装置において、
上記第１の選択手段により選択されている読取り機能に基づいて、上記原稿載置台上に載置されている１束目の原稿の画像を上記読取手段により読取り、この読取画像を上記記録手段に記録する第１の処理手段と、
この第１の処理手段による処理が終了した際に、次の原稿の束の継続読取りを選択する第２の選択手段と、
この第２の選択手段により次の原稿の束の継続読取りが選択された際に、上記第１の選択手段により選択されている読取り機能を変更する変更手段と、
この変更手段により変更されている読取り機能に基づいて、上記原稿載置台上に載置されている２束目の原稿の画像を上記読取手段により読取り、この読取画像を上記記録手段に記録する第２の処理手段と、
この第２の処理手段による処理が終了し、上記第２の選択手段により次の原稿の束の継続読取りが選択された際に、上記変更手段による変更と、上記第２の処理手段による処理とを繰り返す第３の処理手段と、
を具備したことを特徴とする画像読取装置。
【発明の詳細な説明】
【０００１】
【発明の属する技術分野】
この発明は、たとえば、自動原稿送り装置により搬送される原稿画像を読取り、この読取り画像をハードディスク等に登録する画像読取装置に関する。
【０００２】
【従来の技術】
このような画像読取装置では、上記自動原稿送り装置（ＡＤＦ）における載置能力が規定されており、この載置能力以上の原稿を１つの文書として登録しようとした場合、継続読取りが行われるようになっている。
【０００３】
この継続読取りは、ＡＤＦに載置された原稿（１束目）がすべて読取られた際に、続けて読取る原稿のありを設定することにより、続けてＡＤＦに載置された原稿（２束目）が読取られ、この読取られた２束目の複数の原稿の画像も、上記１束目の複数の原稿の画像とともに登録されるようになっている。
【０００４】
しかし、上記１束目と２束目とは、必ず同じ読取り設定で読取られるものであり、束ごとに読取り設定を変更することができなかった。
【０００５】
【発明が解決しようとする課題】
この発明は、複数の原稿画像を複数の束に分けて継続読取りを行う場合に、各束ごとに読取り設定を変更することができる画像読取装置を提供することを目的とする。
【０００６】
この発明は、複数の原稿画像を複数の束に分けて継続読取りを行う場合に、各束ごとの読取り結果を確認することができる画像読取装置を提供することを目的とする。
【０００７】
この発明は、複数の原稿画像を複数の束に分けて継続読取りを行う場合に、各束ごとの読取り結果に対する編集を行うことができる画像読取装置を提供することを目的とする。
【０００８】
この発明は、複数の原稿画像を複数の束に分けて継続読取りを行う場合に、各束ごとの読取り途中の異常発生時に、該当する束を処理する以前の状態に戻すことができる画像読取装置を提供することを目的とする。
【０００９】
【課題を解決するための手段】
この発明は、一連の原稿が複数の束に分けられている束単位に原稿トレイにセットされ、この原稿トレイにセットされる束単位の原稿を順次１枚ずつ原稿載置台上に搬送する自動原稿搬送手段と、上記原稿トレイにセットされた束ごとの原稿に対する読取り機能を選択する第１の選択手段と、この第１の選択手段により選択されている読取り機能に基づいて、上記原稿載置台上に載置されている束ごとの原稿の画像を読取る読取手段と、この読取手段により読取った画像を記録する記録手段とを有する画像読取装置において、上記第１の選択手段により選択されている読取り機能に基づいて、上記原稿載置台上に載置されている１束目の原稿の画像を上記読取手段により読取り、この読取画像を上記記録手段に記録する第１の処理手段と、この第１の処理手段による処理が終了した際に、次の原稿の束の継続読取りを選択する第２の選択手段と、この第２の選択手段により次の原稿の束の継続読取りが選択された際に、上記第１の選択手段により選択されている読取り機能を変更する変更手段と、この変更手段により変更されている読取り機能に基づいて、上記原稿載置台上に載置されている２束目の原稿の画像を上記読取手段により読取り、この読取画像を上記記録手段に記録する第２の処理手段と、この第２の処理手段による処理が終了し、上記第２の選択手段により次の原稿の束の継続読取りが選択された際に、上記変更手段による変更と、上記第２の処理手段による処理とを繰り返す第３の処理手段とを有する。
【００１４】
【発明の実施の形態】
以下、この発明の実施の形態について図面を参照して説明する。
【００１５】
図１は、この発明の実施の形態に係わる画像処理システム１の構成を示すブロック図である。
【００１６】
この画像読取システム１は、複数枚の原稿からなる文書単位の原稿Ｄを１枚ずつ給紙する原稿給紙手段としての自動原稿送り装置（ＡＤＦ）を有する画像読取部２、この画像読取部２により読み取った画像を記憶する画像記憶部３、ユーザに対して操作案内を表示するとともに、ユーザによる種々の指示が入力されるタッチパネルを有する表示入力部４、読取った複数の画像に対する回転処理等を行う画像処理部５、上記画像読取部２により読取った画像あるいは画像処理部５により処理された画像を保管する画像保管部６、通信回線に接続され、ネットワーク上の各機器との通信を行う通信部７、および上記各部を制御する制御部８により構成されている。
【００１７】
図２は上記画像読取システム１の利用環境の一例を示す図である。
【００１８】
図２に示すように、上記画像読取システム１は、例えば、高速の画像読取機能を有し、複数のユーザに共用されるディジタル複写機１１と、このディジタル複写機１１からの画像が登録され、登録画像を出力するコントローラ１２により構成されている。この画像読取システム１は、種々のデータが記憶されるファイルサーバ１３、および各ユーザが個別に利用できるパーソナルコンピュータなどの複数のクライアントＰＣ１４がそれぞれ通信回線１５を介してネットワーク接続されている環境で利用される。
【００１９】
上記デジタル複写機１１の制御回路の内部構成を、図３を用いて説明する。
【００２０】
このデジタル複写機１１には、全体を制御する主制御部２０が設けられている。この主制御部２０は、それぞれ図示しないが、その動作の制御を司るＣＰＵ（ｃｅｎｔｒａｌ  ｐｒｏｃｅｓｓｉｎｇ  ｕｎｉｔ）、このデジタル複写機１１の動作のソフトウェアが格納されているＲＯＭ（Ｒｅｎｄ  ｏｎｌｙ  ｍｅｍｏｒｙ）、画像データやその他動作上のデータが一時格納されるＲＡＭ（ｒａｎｄｏｍ  ａｃｃｅｓｓ  ｍｅｍｏｒｙ）（Ｓ−ＲＡＭ）により構成されている。
【００２１】
上記主制御部２０は、自動原稿送り装置（ＡＤＦ）２１、スキャナ部２２、プリンタ部２３、操作パネル２４、画像処理部２５、ページメモリ２６、ＨＤＤ２７、コントローラインターフェース２８が接続されている。
【００２２】
ＡＤＦ２１は、装置本体の上面に設けられ、原稿トレイ（図示しない）にセットされた原稿Ｄを原稿載置台（図示しない）上に自動的に送る搬送手段としての自動原稿送り装置であり、原稿トレイにセットされた複数頁からなる所定単位の原稿Ｄをセットすることにより、複数頁の原稿Ｄが順次１枚ずつ給紙されるものである。
【００２３】
上記ＡＤＦ２１の原稿トレイには、原稿Ｄの読取面を上側にしてセットされ、一番下の原稿Ｄから順に１枚ずつ取込まれるようになっている。
【００２４】
スキャナ部２２は、原稿載置台上に載置された原稿Ｄに対する読取り走査を行うことにより、原稿Ｄの読取り画像データを得るものである。
【００２５】
プリンタ部２３は、原稿Ｄの読取り画像データのプリントを行ったり、外部からの画像データのプリントを行うものである。
【００２６】
操作パネル２４は、タッチパネル内蔵の液晶表示部２４ａとテンキー等のハードキーで構成される表示入力部として用いられ、タッチパネルやハードキーにより種々の操作や設定等の指示が入力されるとともに、液晶表示部２４ａに操作案内やエラー時のエラー内容の案内などが表示されるものである。
【００２７】
画像処理部２５は、スキャナ部２２により読取った原稿画像に対する回転処理を行ったりするものである。
【００２８】
ページメモリ２６は、画像処理部２５からの画像データを登録するものである。
【００２９】
ＨＤＤ２７は、各種データが格納されるハードディスクで代表される外部記憶装置である。たとえば、複数部数のコピーを行う際に、複数枚の原稿画像の読取画像を圧縮した画像を登録し、印刷時にこの圧縮した画像を読出して印刷するようになっている。ＨＤＤ２７は、上記ＡＤＦ２１の原稿トレイにセットされた複数頁からなる所定単位の原稿Ｄに対する画像データを登録するものであり、最大画像データ容量が規定されている。
【００３０】
コントローラインターフェース２８は、コントローラ１２と接続され、データのやり取りが行われるようになっている。
【００３１】
上記主制御部２０は、ジョブごとに管理される入力タスクと印刷タスクを有している。
【００３２】
上記コントローラ１２の制御回路の内部構成を、図４を用いて説明する。
【００３３】
このコントローラ１２は、パーソナルコンピュータにより構成され、全体を制御する制御部３１が設けられている。この制御部３１には、キーボードと表示部からなる操作部３２、画像データ登録用のＨＤＤ３３、上記ディジタル複写機１のコントローラインターフェース２８と接続される複写機インターフェース３４、上記通信回線１５を介してネットワークと接続される通信インターフェース３５が接続されている。
【００３４】
制御部３１は、一連の原稿に対する画像データを１つにまとめてＨＤＤ３３に記録するものである。
【００３５】
制御部３１は、メモリ部３１ａを有し、このメモリ部３１ａにＨＤＤ３３における一連の原稿の束ごとの画像データ群の記録容量と、総記録容量とを累積記録するようになっている。
【００３６】
制御部３１は、一連の原稿に対する総記録容量があらかじめ規定されている最大画像データ容量を越えた際、異常と判断するものである。
【００３７】
ＨＤＤ３３は、上記ディジタル複写機１１からの画像データを記録するものであり、最大画像データ容量が規定されている。
【００３８】
上記ディジタル複写機１１のＨＤＤ２７は、複数部数のコピーを行う際に利用されるものであり、上記コントローラ１２のＨＤＤ３３は、読取り画像データをネットワークを介して送信する際に、利用されるものである。
【００３９】
次に、上記のような構成において、ＡＤＦ２１のトレイにセットされた原稿Ｄを順次読取ってＨＤＤ３３へ記録する場合の処理について、図５に示すフローチャートを参照しつつ説明する。
【００４０】
登録作業例１
一連の原稿Ｄの途中のぺージによって種類が異なるため、読取りの設定を一連の原稿Ｄの途中で変更させたいなどの理由により、１つの一連の原稿Ｄを複数の束に分けて扱うものとする。
【００４１】
例えば、原稿の１〜１０枚目が片面１０ページの文書、ｌｌ〜２０枚目が片面１０ページのモノクロの図表、２１〜３０枚目が片面１０ページのカラーカタログ、３１〜４０枚目が両面２０ページの添付文書からなる、４０枚５０ページの一連の原稿Ｄを１つの（一まとめの）画像データとして登録するものとする。
【００４２】
この場合、最初に、３１〜４０枚目の両面２０ページの添付文書を１束目の原稿Ｄとして、読取面を上側にしてＡＤＦ２１の原稿トレイにセットし、次に、２１〜３０枚目の片面１０ページのカラーカタログを２束目の原稿Ｄとして、読取面を上側にしてＡＤＦ２１の原稿トレイにセットし、次に、ｌｌ〜２０枚目の片面１０ページのモノクロの図表を３束目の原稿Ｄとして、読取面を上側にしてＡＤＦ２１の原稿トレイにセットし、最後に、１〜１０枚目の片面１０ページの文書を４束目の原稿Ｄとして、読取面を上側にしてＡＤＦ２１の原稿トレイにセットする。
【００４３】
上記原稿を種類別の束に分ける理由は、読取り設定を別個に指示できるようにするためである。また、ＡＤＦ２１の積載能力や複写機１１側の１束として読取れる能力（１束の総画像データサイズなど）の限界から複数に分けざるを得ない場合もある。
【００４４】
まず、登録者は液晶表示部２４ａにより新規な画像登録の指示を行う。これにより、主制御部２０は、新規の読取ジョブの開始を判断し（ＳＴ１）、液晶表示部２４ａによりプリンタ機能、管理者機能、スキャン機能などの選択画面を表示する。この表示画面に基づいて、登録者はスキャン機能を選択する。このスキャン機能の選択に基づいて、主制御部２０は、あらかじめ登録されている種々のジョブアイコンを表示する。
【００４５】
このジョブアイコンとしては、スキャンパラメータとしての登録順、読取モード、カラーモード、解像度、濃度、原稿サイズ、両面／片面、画像ローテーション等が設定されるようになっている。登録順としては、逆順、正順が用意され、読取モードとしては、写真、テキストが用意され、カラーモードとしては、カラー、モノクロが用意され、解像度としては、２００ｄｐｉ、４００ｄｐｉ、６００ｄｐｉが用意され、濃度としては、オートとマニュアルが用意され、原稿サイズとしては、Ａ４サイズ、Ｂ４サイズ、Ｂ５サイズ等が用意され、両面／片面としては、両面読取りと片面読取りが用意され、画像ローテーションとしては、０度、９０度、１８０度、２７０度の回転処理が用意されている。
【００４６】
上記ジョブアイコンを表示に基づいて、１つのジョブアイコンを選択する。この場合、ジョブアイコンとして、スキャンパラメータが、登録順として「逆順」、読取モードとして「テキスト」、カラーモードとして「モノクロ」、解像度として「４００ｄｐｉ」、濃度として「オート」、原稿サイズとして「Ａ４サイズ」、両面／片面として「両面」、画像ローテーションとして「０度」のものが選択される。
【００４７】
この段階では、継続読取りするかどうかを指示されていない。
【００４８】
次に、登録者は１束目の原稿Ｄとして３１〜４０枚目の両面２０ページの添付文書をＡＤＦ２１の原稿トレイにセットする（ＳＴ２）。また、登録者は操作パネル２４に表示されている読取り設定の一覧の確認後（ＳＴ３）、スタートボタン、または液晶表示部２４ａのスタートアイコンを押下して、開始を指示する（ＳＴ５）。
【００４９】
また、上記ステップ３の読取り設定の一覧が表示されている状態で、設定変更が指示された際、設定変更画面により設定変更を行った後（ＳＴ４）、スタートボタン、または液晶表示部２４ａのスタートアイコンを押下して、開始を指示する（ＳＴ５）。
【００５０】
この際、読取り設定の一覧が表示されているので、変更の必要があるかどうかを確認できる。
【００５１】
上記開始の指示により、一番下の原稿ＤがＡＤＦ２１により搬送されることにより、スキャナ部２２により原稿Ｄの片面の画像が読取られ、その画像データがぺージメモリ２６に記録される。この際、スキャナ部２２は上記スキャナジョブのスキャンパラメータに基づいて読取りを行う。
【００５２】
上記ぺージメモリ２６に１ページ分の画像データが記録された際、主制御部２０は、コントローラ１２の制御部３１からの問合せに基づいて、そのぺージメモリ２６の１ページ分の画像データをコントローラ１２へ出力する。これにより、コントローラ１２の制御部３１は、供給される１ページ分の画像データをＨＤＤ３３に記録する。
【００５３】
この際、コントローラ１２の制御部３１は、一連の原稿の束ごとの画像データ群の記録容量と、総記録容量とをメモリ部３１ａに累積記録する。
【００５４】
ついで、上記ＡＤＦ２１により原稿Ｄの反転処理を行うことにより、上記原稿Ｄのもう一面の画像が読取られ、その画像データがぺージメモリ２６に記録される。
【００５５】
上記ぺージメモリ２６に１ページ分の画像データが記録された際、主制御部２０は、コントローラ１２の制御部３１からの問合せに基づいて、そのぺージメモリ２６の１ページ分の画像データをコントローラ１２へ出力する。これにより、コントローラ１２の制御部３１は、供給される１ページ分の画像データをＨＤＤ３３に記録する。
【００５６】
この際、コントローラ１２の制御部３１は、一連の原稿の束ごとの画像データ群の記録容量と、総記録容量とをメモリ部３１ａに累積記録し、原稿Ｄの搬送処理に戻る。
【００５７】
そして、上記原稿Ｄの搬送処理から画像データ容量の累積記録処理までの処理が繰返される。
【００５８】
上記１束目の処理の途中で、登録者による中断の指示がなされた際（操作パネル２２のストップキーの押下）、あるいはディジタル複写機１１又はコントローラ１２において復帰不可能なエラーが生じた場合（原稿Ｄのジャム、ＨＤＤ３３で記録異常）（ＳＴ６）、主制御部２０は、読取り途中の中断を判断し、ページメモリ２６の画像データを削除し、制御部３１は、ＨＤＤ３３の画像データを削除し、メモリ部３１ａの上記束に対して累積記録した容量も削除し、読取ジョブを完了する（ＳＴ１７）。
【００５９】
上記１束目の処理が行われている際に、主制御部２０は現在までの画像読取りページ数と画像記録ページ数とを、液晶表示部２４ａにより表示する（ＳＴ７）。この際、液晶表示部２４ａには、「継続読取りしますか」という案内と継続読取り選択用のアイコンとを表示している。
【００６０】
また、上記１束目の処理が行われている際に、制御部３１は、メモリ部３１ａに記録された一連の原稿の総記録容量がＨＤＤ３３の最大画像データ容量（制限サイズ）を超えているか否かを判断する。この判断の結果、総記録容量が最大画像データ容量を超えている場合、制御部３１は、上記１束目が制限に抵触したと判断し、ＨＤＤ３３の上記束に対する画像データを削除し、メモリ部３１ａの上記束に対しての累積記録容量も削除し、主制御部２０は、ページメモリ２６の画像データを削除し読取ジョブを完了する（ＳＴ１７）。
【００６１】
また、上記１束目の処理が正常に行われてＡＤＦ２１の原稿トレイにセットされた原稿Ｄがすべて搬送され、その読取った画像データがＨＤＤ３３に記録された際に、主制御部２０、制御部３１は、束読取りの終了を判断する（ＳＴ９）。
【００６２】
ついで、主制御部２０は、登録者により継続読取りが選択（指定）されていない際（ＳＴ１０）、図８に示すように、液晶表示部２４ａにより全読取り結果を表示するとともに、編集用の「Ｄｅｌｅｔｅ」「ＵＰ」「ＤＯＷＮ」アイコンと、「この原稿を登録しますかという」案内画面と「ＹＥＳ」、「ＮＯ」アイコンを表示する（ＳＴ１２）。
【００６３】
この表示において、「ＹＥＳ」のアイコンが押下された場合、制御部３１は、上記１束の画像データを１つの原稿画像データ群としてＨＤＤ３３に記録する（ＳＴ１４）。この後、主制御部２０、制御部３１は、読取りジョブを完了する（ＳＴ１５）。
【００６４】
また、上記ステップ１０において、登録者により継続読取りが選択（指定）されている際、主制御部２０は、上記１束目の処理に対するスキャンパラメータと処理結果を図７に示すように、液晶表示部２４ａにより表示する（ＳＴ１１）。この際、液晶表示部２４ａには、継続回数：１束完了、登録順：逆順、読取設定としての読取モード：テキスト、カラーモード：モノクロ、解像度：４００ｄｐｉ、原稿サイズ：Ａ４、両面／片面：両面、画像ローテーション：０度、読取りページ数：２０ページ、読取りデータサイズ：３６０ＫＢが表示されるとともに、全削除、束削除、読取り完了、設定変更、読取り開始の各アイコンが表示される。
【００６５】
全削除のアイコンは、ＨＤＤ３３に記録されている一連の原稿のすべての束の画像データを削除する際に押下されるものであり、束削除のアイコンは、ＨＤＤ３３に記録されている一連の原稿の１つの束の画像データを削除する際に押下されるものであり、読取り完了のアイコンは、読取りジョブを完了する際に押下されるものであり、設定変更のアイコンは、前回の束に対するスキャナパラメータを変更する際に押下されるものであり、読取り開始のアイコンは、ＡＤＦ２１にセットした原稿の読取りを開始する際に押下されるものである。
【００６６】
この画面は、登録者による指示待ち画面であり、結果表示、警告、推奨設定通知が行われている。
【００６７】
この表示状態において、次の束の読取りを行う際、登録者は２束目の原稿Ｄとして２１〜３０枚目の片面１０ページのカラーカタログをＡＤＦ２１の原稿トレイにセットし、読取り設定を変更する必要があるため、設定変更のアイコンを押下する。
【００６８】
この設定変更のアイコンの押下により、主制御部２０は読取り設定（スキャンパラメータ）の設定変更モードを判断し、液晶表示部２４ａにより読取り設定の設定変更画面を表示する。この表示に基づいて、読取り設定を変更する（ＳＴ４）。この場合、読取モードとして「写真」、カラーモードとして「カラー」に変更する。また、登録者は操作パネル２４のスタートボタン、または液晶表示部２４ａのスタートアイコンを押下して、開始を指示する（ＳＴ５）。
【００６９】
これにより、ＡＤＦ２１により搬送される原稿Ｄのスキャナ部２２による読取り画像が、ページメモリ２６に記録され、コントローラ１２のＨＤＤ３３に記録される。
【００７０】
この際、コントローラ１２の制御部３１は、一連の原稿の束ごとの画像データ群の記録容量と、総記録容量とをメモリ部３１ａに累積記録し、原稿Ｄの搬送処理に戻る。
【００７１】
そして、上記原稿Ｄの搬送処理から画像データ容量の累積記録処理までの処理が繰返される。
【００７２】
上記２束目の処理の途中で、登録者による中断の指示がなされた際（操作パネル２２のストップキーの押下）、あるいはディジタル複写機１１又はコントローラ１２において復帰不可能なエラーが生じた場合（原稿Ｄのジャム、ＨＤＤ３３で記録異常）（ＳＴ６）、主制御部２０は、ページメモリ２６の画像データを削除し、制御部３１は、ＨＤＤ３３の２束目に対する画像データを削除し（１束目の画像データについては保持している）、メモリ部３１ａの上記２束目に対して累積記録した容量も削除する（ＳＴ１６）。２束目の開始前の状態に戻る。
【００７３】
この削除後、主制御部２０は、上記ステップ１１と同様に、上記１束目の処理に対するスキャンパラメータと処理結果を図７に示すように、液晶表示部２４ａにより表示する。この際、液晶表示部２４ａには、継続回数：１束完了、登録順：逆順、読取設定としての読取モード：テキスト、カラーモード：モノクロ、解像度：４００ｄｐｉ、原稿サイズ：Ａ４、両面／片面：両面、画像ローテーション：０度、読取りページ数：２０ページ、読取りデータサイズ：３６０ＫＢが表示されるとともに、全削除、束削除、読取り完了、設定変更、読取り開始の各アイコンが表示される。
【００７４】
この表示状態において、登録者は２束目の原稿Ｄを再度ＡＤＦ２１の原稿トレイにセットし、設定変更のアイコンを押下し、ステップ４に進む。
【００７５】
上記２束目の処理が行われている際に、主制御部２０は現在までの画像読取りページ数と画像記録ページ数とを、図６に示すように、液晶表示部２４ａにより表示する（ＳＴ７）。この際、液晶表示部２４ａには、継続読取りをするかの案内と継続読取り選択用のアイコンとを表示している。
【００７６】
また、上記２束目の処理が行われている際に、制御部３１は、メモリ部３１ａに記録された一連の原稿の総記録容量がＨＤＤ３３の最大画像データ容量（制限サイズ）を超えているか否かを判断する（ＳＴ８）。この判断の結果、総記録容量が最大画像データ容量を超えている場合、制御部３１は、上記２束目に制限に抵触したと判断し、ＨＤＤ３３の上記２束目に対する画像データを削除し、メモリ部３１ａの上記２束目に対しての累積記録容量も削除する（ＳＴ１６）。
【００７７】
この削除後、主制御部２０は、図１１に示すように、制限に対する警告「エラー：１つのジョブに対する画像データサイズが制限を越えました」、推奨設定「解像度２００ｄｐｉ」を通知するとともに、継続回数「２束目」、登録順「逆順」、画像読取りページ数「２５」、画像記録ページ数「２４」とを、液晶表示部２４ａにより表示する。この際、液晶表示部２４ａには、「束の画像データを消去しました」という案内とＯＫ用のアイコンとを表示している。
【００７８】
この表示により、ＯＫ用のアイコンが押下された後、主制御部２０は、上記ステップ１１と同様に、上記１束目の処理に対するスキャンパラメータと処理結果を図１２に示すように、液晶表示部２４ａにより表示する。この際、液晶表示部２４ａには、継続回数：１束完了、登録順：逆順、読取設定としての読取モード：写真、カラーモード：モノクロ、解像度：４００ｄｐｉ、原稿サイズ：Ａ４、両面／片面：両面、画像ローテーション：０度、読取りページ数：２０ページ、読取りデータサイズ：３６０ＫＢが表示されるとともに、全削除、束削除、読取り完了、設定変更、読取り開始の各アイコンが表示される。
【００７９】
この表示状態において、登録者は２束目の原稿Ｄを再度ＡＤＦ２１の原稿トレイにセットし、設定変更のアイコンを押下し、ステップ４に進む。
【００８０】
また、上記２束目の処理が正常に行われてＡＤＦ２１の原稿トレイにセットされた原稿Ｄがすべて搬送され、その読取った画像データがＨＤＤ３３に記録された際に、主制御部２０、制御部３１は、束読取りの終了を判断する（ＳＴ９）。
【００８１】
ついで、主制御部２０は、登録者により継続読取りが選択（指定）されていない際（ＳＴ１０）、図１０に示すように、液晶表示部２４ａにより全読取り結果を表示するとともに、編集用の「Ｄｅｌｅｔｅ」「ＤＯＷＮ」アイコンと、「この原稿を登録しますかという」案内画面と「ＹＥＳ」、「ＮＯ」アイコンを表示する（ＳＴ１２）。
【００８２】
この表示において、束番号１が選択され、「ＤＯＷＮ」のアイコンが押下された際、束番号１と番号２の内容が入れ代わる。この「ＤＯＷＮ」のアイコン、「ＵＰ」のアイコンにより記録の順番を入れ替えることができる。上記表示において、束番号１が束不要な束の場合、番号１が選択され、「Ｄｅｌｅｔｅ」のアイコンが押下されることにより、束番号１の内容が削除される。
【００８３】
この表示において、「ＹＥＳ」のアイコンが押下された場合（ＳＴ１３）、制御部３１は、最終記録と判断し、上記１束の画像データを１つの原稿画像データ群としてＨＤＤ３３に記録する（ＳＴ１４）。この後、主制御部２０、制御部３１は、読取りジョブを完了する（ＳＴ１５）。
【００８４】
また、上記ステップ１２の表示において、登録者により「ＮＯ」のアイコンが押下された場合（ＳＴ１３）、制御部３１は、ステップ１１に進む。
【００８５】
また、上記ステップ１０において、登録者により継続読取りが選択（指定）されている際、主制御部２０は、上記２束目の処理に対するスキャンパラメータと処理結果を図９に示すように、液晶表示部２４ａにより表示する（ＳＴ１１）。この際、液晶表示部２４ａには、継続回数：１束完了、登録順：逆順、読取設定としての読取モード：写真、カラーモード：カラー、解像度：４００ｄｐｉ、原稿サイズ：Ａ４、両面／片面：片面、画像ローテーション：０度、読取りページ数：３０ページ、読取りデータサイズ：５４０ＫＢが表示されるとともに、全削除、束削除、読取り完了、設定変更、読取り開始の各アイコンが表示される。
【００８６】
この２束目に対するステップ１１の表示状態において、登録者は３束目の原稿ＤをＡＤＦ２１の原稿トレイにセットし、設定変更のアイコンを押下し、ステップ４に進む。
【００８７】
この後、３束目、４束目の原稿Ｄに対するＨＤＤ３３への記録処理が上記同様に行われる。
【００８８】
そして、４束目の原稿Ｄに対するＨＤＤ３３への記録処理が終了した際（ＳＴ９）、継続読取りが指定されていないため（ＳＴ１０）、主制御部２０はステップ１２に進み、液晶表示部２４ａにより全読取り結果を表示するとともに、編集用の「Ｄｅｌｅｔｅ」「ＵＰ」「ＤＯＷＮ」アイコンと、「この原稿を登録しますかという」案内画面と「ＹＥＳ」、「ＮＯ」アイコンを表示する（ＳＴ１２）。
【００８９】
この表示において、「ＹＥＳ」のアイコンが押下された場合（ＳＴ１３）、制御部３１は、最終記録と判断し、上記４束の画像データを１つの原稿画像データ群としてＨＤＤ３３に記録する（ＳＴ１４）。この後、主制御部２０、制御部３１は、読取りジョブを完了する（ＳＴ１５）。
【００９０】
なお、上記ステップ１１の表示において、全削除のアイコンが押下された場合、ステップ１７に進み、束削除のアイコンが押下された場合、ステップ１６に進み、読取り完了のアイコンが押下された場合、ステップ１２に進み、設定変更のアイコンが押下された場合、ステップ４に進み、読取り開始のアイコンが押下された場合、ステップ６に進む。
【００９１】
上記ステップ１３からステップ１１に戻った指示待ち画面では、束の削除のアイコンは選択できないようになっている。
【００９２】
また、上記実施例では、ステップ６において、原稿Ｄのジャムが発生した場合、１束目の際はステップ１７のジョブの画像データを削除、２束目以降の際はステップ１６の処理中の束の画像データを削除する場合について説明したが、これに限らず、登録者により、原稿Ｄのジャムが解除され、ＡＤＦ２１に再セットすることにより、再スタートするようにしても良い。この場合、主制御部２０は、液晶表示部２４ａにより図１３に示すような、ＡＤＦのジャム発生案内画面を表示し、この表示に基づいてジャムが解除し再スタートが指示された際、図１４に示すように、図６と同様な読取り中の画面に戻る。
【００９３】
上記したように、原稿自動送り装置（以下、ＡＤＦ）を備えた画像読取装置において、原稿を複数の束（１束の原稿枚数は、１枚以上、ＡＤＦ積載能力以下）に分けて読取った複数の画像データをまとめて最終的に１つの画像データとして登録することができるようにしたものである。
【００９４】
これにより、複数の原稿画像を複数の束に分けて継続読取りを行う場合に、各束ごとに読取り設定を変更することができる。
【００９５】
また、複数の原稿画像を複数の束に分けて継続読取りを行う場合に、各束ごとの読取り結果を確認することができる。
【００９６】
また、複数の原稿画像を複数の束に分けて継続読取りを行う場合に、各束ごとの読取り結果に対する編集を行うことができる。
【００９７】
また、複数の原稿画像を複数の束に分けて継続読取りを行う場合に、各束ごとの読取り途中の異常発生時に、該当する束を処理する以前の状態に戻すことができる。
【００９８】
なお、前記実施例では、ステップ８において、束の読取処理の途中において、コントローラで扱える最大画像データ容量を基準とした制限に抵触した場合に、１束目の際はステップ１７のジョブの画像データを削除し、２束目以降の際はステップ１６の処理中の束の画像データを削除する場合について説明したが、これに限らず、束の読取処理の途中において、コントローラで扱える最大画像データ容量の制限に近づいた場合に、上記同様に、１束目の際はステップ１７のジョブの画像データを削除し、２束目以降の際はステップ１６の処理中の束の画像データを削除するようにしても良い。
【００９９】
また、ディジタル複写機で扱える１束に対する最大画像データ容量を基準とした制限に抵触した場合、ディジタル複写機で扱える１束に対する最大画像データ容量を基準とした制限に近づいた場合も、上記ステップ８における判断基準とするようにしても良い。
【０１００】
また、上記ステップ８における判断は、上記束の読取中でも、読取後であっても良い。
【０１０１】
すなわち、１つの束の読取り後及び途中に、束毎の及び累計の読取結果を自動的に把握し、この読取結果を登録者に提示する。これにより、該当の束を最終的に登録するのは不適当であると登録者が判断した場合はその束をキャンセルし、該当の束を読取る前の状態まで戻すことができる。
【０１０２】
また、予め設定されている制限との間で検証を行う。そして何らかの制限に抵触する場合は、自動的にその束をキャンセルし該当の束を読取る前の状態まで戻すことができる。登録者へ検証結果を通知することにより、再読取の設定を適切なものに変更させることができる。
【０１０３】
また、予め設定されている制限との間で検証を行う。そして何らかの制限に近づきつつある場合は、登録者に警告及び推奨設定を通知する。登録者はその通知から、該当束及び既に読取られた束を最終的に登録するかを判断でき、かつ、以降の束の読取設定を適切なものにすることができる。
【０１０４】
また、複数の束を読取り終わった後、読取結果を一覧性良く提示することができる。この結果、既に読取った束の内最終的に登録するのは不適当であると判断された束があった場合は、該当の束を指定し操作、編集することができる。
【０１０５】
また、束の読取中に何らかの要因により中断された場合、その束のみを中断し以前の登録作業結果を保持することができる。この結果、障害発生時に最小の作業で登録を続行することができる。
【０１０６】
【発明の効果】
この発明は、複数の原稿画像を複数の束に分けて継続読取りを行う場合に、各束ごとに読取り設定を変更することができる画像読取装置を提供できる。
【０１０７】
この発明は、複数の原稿画像を複数の束に分けて継続読取りを行う場合に、各束ごとの読取り結果を確認することができる画像読取装置を提供できる。
【０１０８】
この発明は、複数の原稿画像を複数の束に分けて継続読取りを行う場合に、各束ごとの読取り結果に対する編集を行うことができる画像読取装置を提供できる。
【０１０９】
この発明は、複数の原稿画像を複数の束に分けて継続読取りを行う場合に、各束ごとの読取り途中の異常発生時に、該当する束を処理する以前の状態に戻すことができる画像読取装置を提供できる。
【図面の簡単な説明】
【図１】図１は、画像処理システムの概略構成を示すブロック図。
【図２】図２は、画像処理システムの概略構成を示す図。
【図３】図３は、デジタル複写機の概略構成を示すブロック図。
【図４】図４は、コントローラの概略構成を示すブロック図。
【図５】図５は、スキャン処理を説明するためのフローチャート。
【図６】図６は、この画像処理システムにおける文書単位の原稿の読取処理を説明するためのフローチャート。
【図７】図７は、液晶表示部の表示例を示す図。
【図８】図８は、液晶表示部の表示例を示す図。
【図９】図９は、液晶表示部の表示例を示す図。
【図１０】図１０は、液晶表示部の表示例を示す図。
【図１１】図１１は、液晶表示部の表示例を示す図。
【図１２】図１２は、液晶表示部の表示例を示す図。
【図１３】図１３は、液晶表示部の表示例を示す図。
【図１４】図１４は、液晶表示部の表示例を示す図。
【符号の説明】
１…画像読取システム
２…画像読取部
３…画像記憶部
４…表示入力部
５…画像処理部
６…画像保管部
７…通信部
８…制御部
【図１】
0003576088.tif 000002
【図２】
0003576088.tif 000003
【図３】
0003576088.tif 000004
【図４】
0003576088.tif 000005
【図５】
0003576088.tif 000006
【図６】
0003576088.tif 000007
【図７】
0003576088.tif 000008
【図８】
0003576088.tif 000009
【図９】
0003576088.tif 000010
【図１０】
0003576088.tif 000011
【図１１】
0003576088.tif 000012
【図１２】
0003576088.tif 000013
【図１３】
0003576088.tif 000014
【図１４】
0003576088.tif 000015